(57)【要約】【課題】動画撮影後に動画データを再生、編集する際に、ハイライトシーンを自動抽出することができる画像処理装置を提供すること。【解決手段】被写体を撮像し、得られた画像信号を処理する画像処理装置であって、一連の動画像を生成し、記録する動画像処理部と、前記画像処理装置以外の画像処理端末からレリーズ情報を取得する情報取得部と、前記レリーズ情報を蓄積し、その蓄積情報をもとに前記動画像処理部によって生成された動画像のハイライトシーンを抽出するハイライト抽出部と、を有することを特徴とする。【選択図】図１
2019075638.tif 000002
【特許請求の範囲】
【請求項１】
被写体を撮像し、得られた画像信号を処理する画像処理装置であって、
一連の動画像を生成し、記録する動画像処理部と、
前記画像処理装置以外の画像処理端末からレリーズ情報を取得する情報取得部と、前記レリーズ情報を蓄積し、その蓄積情報をもとに前記動画像処理部によって生成された動画像のハイライトシーンを抽出するハイライト抽出部と、を有することを特徴とする画像処理装置。
【請求項２】
前記情報取得部では、前記画像処理装置とデータを送受信可能な周辺の画像処理端末から情報を取得することを特徴とする請求項１に記載の画像処理装置。
【請求項３】
前記情報取得部では、画像サーバーと接続し、接続したサーバー上の画像データから情報を取得することを特徴とする請求項１に記載の画像処理装置。
【請求項４】
前記情報取得部では、接続した画像サーバー上の画像データから、位置情報を取得することを特徴とする請求項１に記載の画像処理装置。
【請求項５】
前記情報取得部では、接続した画像サーバー上の画像データから、撮影時刻情報を取得することを特徴とする請求項１に記載の画像処理装置。
【請求項６】
前記ハイライト抽出部では、前記情報取得部より得られたレリーズ情報をもとにヒストグラムを生成することを特徴とする請求項１の画像処理装置。
【請求項７】
前記ヒストグラムにおいて、閾値を超えた場合にハイライトシーンと判断することを特徴とする請求項６に記載の画像処理装置。
【請求項８】
前記ハイライト抽出部では、前記情報取得部によって得られた単位時間あたりのレリーズ数を累積していくことを特徴とする請求項１の画像処理装置。
【請求項９】
前記単位時間あたりのレリーズ数が、閾値を超えた場合にハイライトシーンと判別することを特徴とする請求項１に記載の画像処理装置。
【請求項１０】
前記閾値は通信された画像処理端末数に応じて可変にすることを特徴とする請求項９に記載の画像処理装置。
【請求項１１】
前記ハイライト抽出部で抽出したハイライト情報を前記動画像処理部によって生成された動画像データに付加することを特徴とする請求項１に記載の画像処理装置。
【発明の詳細な説明】
【技術分野】
【０００１】
本発明は、ハイライトシーンを自動的に抽出する画像処理装置に関する。
【背景技術】
【０００２】
従来、画像処理装置として、被写体を撮像し、得られた画像に基づいて動画データを生成して記録媒体に記録する撮像装置が知られている。
【０００３】
近年、このようなデジタルカメラにおいては、フラッシュメモリの大容量化、画像処理の高速化や低電力化が進み、大量の撮影が可能となったため観覧性を向上させる技術が求められている。特許文献１には、テレビ番組などの動画の中から音量が大きいシーンだけを抽出して再生するような技術が提案されている。
【先行技術文献】
【特許文献】
【０００４】
【特許文献１】特開２００７−２６７３５１号公報
【発明の概要】
【発明が解決しようとする課題】
【０００５】
しかし、特許文献１の方法では、音量でハイライトシーンを抽出しているので、音量変化があまりないようなシーンではハイライトシーンを抽出できないでいた。また、ハイライトシーンではない突発的な音量変化に対しても誤って抽出する可能性があった。
【０００６】
本発明は、撮影した動画データを視聴、編集する際、周辺の音量変化にも依存せず、ハイライトシーンを自動抽出できる画像処理装置を提供することを目的とする。
【課題を解決するための手段】
【０００７】
上記の目的を達成するために、本発明に係る画像処理装置は、
被写体を撮像し、得られた画像信号を処理する画像処理装置であって、
一連の動画像を生成し、記録する動画像処理部と、
前記画像処理装置以外の画像処理端末からレリーズ情報を取得する情報取得部と、
前記レリーズ情報を蓄積し、その蓄積情報をもとに前記動画像処理部によって生成された動画像のハイライトシーンを抽出するハイライト抽出部と、を有することを特徴とする。
【発明の効果】
【０００８】
本発明に係る画像処理装置によれば、動画撮影後に動画データを視聴、編集する際に、付与されているハイライト情報を用いることで、編集点を簡単に抽出することが可能となる。
【図面の簡単な説明】
【０００９】
【図１】撮像装置の構成を示す図である。
【図２】第１の実施形態における動画撮影処理を示すフローチャートである。
【図３】第１の実施形態に係る通信処理を示した図である。
【図４】本実施形態におけるハイライトシーン検出を示す図である。
【図５】第２の実施形態における処理を示すフローチャートである。
【発明を実施するための形態】
【００１０】
以下、図面を参照して本発明の実施例を詳細に説明するが、この発明は以下の実施の形態に限定されない。なお、以下の実施の形態は特許請求の範囲に係る発明を限定するものではなく、また実施の形態で説明されている特徴の組み合わせの全ての発明の解決手段に必須のものとは限らない。
【００１１】
なお、本実施例において説明される各機能ブロックは必ずしも個別のハードウェアである必要はない。すなわち、例えばいくつかの機能ブロックの機能は、１つのハードウェアにより実行されてもよい。また、いくつかのハードウェアの連係動作により１つの機能ブロックの機能または、複数の機能ブロックの機能が実行されてもよい。また、各機能ブロックの機能は、ＣＰＵがメモリ上に展開したコンピュータプログラムにより実行されてもよい。
【００１２】
（第１の実施形態）
＜全体構成＞
まず、図１を用いて、本実施例の撮像装置１００の構成を説明する。
【００１３】
本実施例の撮像装置１００は、図１に示すように、ＣＰＵ１０１と、ＲＡＭ１０２と、ＲＯＭ１０３と、操作部１０４とを有する。また、撮像装置１００は、撮像部１１０と、画像処理部１１１と、マイクユニット１２０と、音声処理部１２１と、スピーカユニット１２２とを有する。また、撮像装置１００は、符号化処理部１３０と、表示部１４０と、表示制御部１４１と、記録再生部１５０と、記録媒体１５１と、通信部１６０とを有する。なお、ＣＰＵは、Ｃｅｎｔｒａｌ  Ｐｒｏｃｅｓｓｉｎｇ  Ｕｎｉｔの略称である。ＲＡＭはＲａｎｄｏｍ  Ａｃｃｅｓｓ  Ｍｅｍｏｒｙの略称である。ＲＯＭは、Ｒｅａｄ  Ｏｎｌｙ  Ｍｅｍｏｒｙの略称である。本実施例の撮像装置１００においては、動画圧縮方式としてＨ．２６４やＨ．２６５の圧縮方式を用いるものとするが、どのような種類の圧縮方式を用いてもよい。
【００１４】
本実施例の撮像装置１００において、ＣＰＵ１０１は、ＲＡＭ１０２をワークメモリとして用い、ＲＯＭ１０３に記録された各種プログラムをＲＡＭ１０２に展開し、プログラムに応じて撮像装置１００の各ブロックを制御する。
【００１５】
操作部１０４は、例えば、電源ボタン、記録ボタン、ズーム調整ボタン、オートフォーカスボタン、メニュー表示ボタン、モード切り替えスイッチ、決定ボタン等の各種操作を入力するスイッチ類を有する。また、カーソルキー、ポインティングデバイス、タッチパネル、ダイヤル等のどのようなタイプの操作子であってもよい。操作部１０４は、ユーザによりこれらのキーやボタン、タッチパネルが操作されるとＣＰＵ１０１に操作信号を送信する。操作部１０４の各種部材は、表示部１４０に表示される種々に機能アイコンとして実現されることも可能である。ユーザはこれらの機能アイコンを選択、操作することが可能である。機能アイコンに対し、場面ごとに適宜機能が割り当てられる。これにより、機能アイコンは各種機能ボタンとして作用する。機能ボタンとしては、例えば終了ボタン、戻るボタン、画像送りボタン、ジャンプボタン、絞りこみボタン、属性変更ボタン等がある。例えば、メニューボタンが押されると各種の設定可能なメニュー画面が表示部１４０に表示される。ユーザは、表示部１４０に表示されたメニュー画面と、上下左右の４方向ボタンやＳＥＴボタンとを用いて直感的に各種設定を行なうことができる。なお、操作部１０４は、表示部に対する接触を検知可能なタッチパネルであってもよい。タッチパネルは、抵抗膜方式や静電容量方式、表面弾性波方式、赤外線方式、電磁誘導方式、画面認識方式、光センサ方式等、様々な方式のタッチパネルのうちいずれの方式のものを用いてもよい。
【００１６】
撮像部１１０は、レンズにより取り込まれた被写体の光学像を、絞りにより光量を制御して、ＣＣＤセンサやＣＭＯＳセンサ等の撮像素子により画像信号に変換し、得られたアナログ画像信号をデジタル画像信号に変換して一時的にＲＡＭ１０２に記憶する。ＲＡＭ１０２に記憶されたデジタル画像信号は、その後、画像処理部１１１に送信される。
【００１７】
画像処理部１１１は、デジタル画像信号のホワイトバランスや色、明るさなどを、ユーザにより設定された設定値や画像の特性から自動的に判定した設定値などに基づいて調整する画質調整処理を行う。そして、画像処理部１１１は、処理済みのデジタル画像信号を再びＲＡＭ１０２に記憶する。また、画質調整処理済みまたは未処理のデジタル画像信号を、表示制御部１４１に送信し、表示部１４０に撮像中の画像として表示することもできる。また、再生時において画像処理部１１１は、記録媒体１５１から記録再生部１５０によって読み出され、符号化処理部１３０において復号化された静止画ファイルや動画ファイルに含まれる画像データの画質調整等を行う。そして、画質調整済みまたは未処理のデジタル画像信号を、表示制御部１４１に送信し、表示部１４０に画像として表示することもできる。
【００１８】
符号化処理部１３０では、記録時においては、画像処理部１１１により処理されＲＡＭ１０２に記憶されたデジタル画像信号に対して、画像圧縮処理を行い、圧縮された動画データや静止画データを生成し、ＲＡＭ１０２に一時的に記憶する。また、再生時においては、記録媒体１５１から読み出された画像ファイルの圧縮された動画データや静止画データを復号してデジタル画像信号を抽出し、ＲＡＭ１０２に記憶していく処理を行う。本実施例では、符号化処理部１３０は、動画データをＨ．２６４方式に従い符号化する。また、画像処理部１１１は、静止画データを、ＪＰＥＧ方式に従って符号化する。なお、Ｈ．２６４等の動画の符号化方式においては、各フレームのデータをフレーム内予測符号化、及びフレーム間予測符号化を用いて符号化する。一般に、フレーム内予測符号化により符号化されたフレームをＩピクチャと呼ぶ。また、前方のフレームを参照フレームとして用い、参照フレームとの差分（予測誤差）を用いてフレーム間符号化された画像データをＰピクチャと呼ぶ。また、前方及び後方のフレームを参照フレームとして用い、参照フレームとの差分を用いてフレーム間符号化された画像データをＢピクチャと呼ぶ。
【００１９】
マイクユニット１２０は、例えば、撮像装置１００のハウジング内に内蔵された無指向性のマイクとＡＤ変換部を有する。マイクユニット１２０では、マイクにより周囲の音声を集音（収音）し、所得したアナログ音声信号をＡＤ変換部で、デジタル信号に変換してＲＡＭ１０２に一時的に記憶される。ＲＡＭ１０２に記憶されたデジタル信号は、その後、音声処理部１２１に送信される。音声処理部１２１では、記録時においては、ＲＡＭ１０２に記憶されたデジタル音声信号を読み出して、レベルの適正化処理や雑音低減処理等の処理を行い、処理をしたデジタル音声信号を再びＲＡＭ１０２に記憶する。
【００２０】
また、音声処理部１２１は、必要に応じて、音声信号を圧縮する処理を行う。また、音声処理部１２１は、再生時においては、記録媒体１５１から記録再生部１５０によって読み出された音声ファイルや動画ファイルに含まれる圧縮音声データを復号する処理や音声レベルの適正化処理を行う。そして、音声処理部１２１は、処理された音声データを順次ＲＡＭ１０２に記憶する。
【００２１】
スピーカユニット１２２は、スピーカとＤＡ変換部とを有する。スピーカユニット１２２では、音声処理部１２１によりＲＡＭ１０２に記憶されたデジタル音声信号を読み出してアナログ音声信号に変換し、アナログ音声信号によりスピーカから音声を出力する。
【００２２】
表示部１４０は、例えば、液晶表示デバイス、または有機ＥＬ表示デバイスなどを有し、表示制御部１４１の制御により画像を表示する。表示部１４０は、ＬＥＤディスプレイなど、ユーザに画像を提供することができればどのようなものであってもよい。
【００２３】
表示制御部１４１は、画像処理部１１１により処理され、ＲＡＭ１０２に記憶されたデジタル画像信号に基づいて、表示部１４０に画像を表示する。また、表示制御部１４１は、表示部１４０に表示するデジタル画像信号に基づく映像信号に対し、マトリックス変換、ブライト調整、コントラスト調整、ガンマ調整、クロマゲイン調整、シャープネス調整等の画像信号処理を行ってもよい。
【００２４】
記録再生部１５０は、動画記録時においては、ＲＡＭ１０２に記憶されている符号化処理部１３０により生成された動画データ、静止画データ及び、音声処理部１２１で生成された音声データを読み出す。そして、記録再生部１５０は、読み出した動画データと音声データを、撮影日等の各種情報とともに、動画ファイルとして記録媒体１５１に書き込む。また、記録再生部１５０は、静止画記録時においては、ＲＡＭ１０２に記憶されている静止画データを撮影日等の各種情報とともに静止画ファイルとして記録媒体１５１に記録する。記録再生部１５０は、動画ファイルを記録媒体１５１に記録する際は、圧縮動画データと音声データとからなるデータストリームを形成し、順次記録媒体１５１に記録する。
【００２５】
また、記録再生部１５０は、記録媒体１５１に記録されたデータに対し、ファイルヘッダ等の管理情報を付加する。記録再生部１５０は、記録媒体１５１に記録されたデータに対し、ファイルヘッダ等の管理情報を付加する。記録再生部１５０は、記録媒体１５１に記録された動画ファイルや静止画ファイルを、ＦＡＴやｅｘＦＡＴ等のファイルシステムに従って管理する。また、記録再生部１５０は、再生時においては、記録媒体１５１に記録された動画ファイルや静止画ファイルを、ファイルシステムに従って読み出す。
【００２６】
ＣＰＵ１０１は、読み出された動画ファイルや静止画ファイルに含まれるヘッダ（管理情報）を解析し、圧縮された動画データ、音声データ、静止画データを抽出する。抽出された圧縮動画データ、静止画データは、ＲＡＭ１０２に記憶されて、符号化処理部１３０により復号される。また、圧縮された音声データは、音声処理部１２１により伸長される。なお、本実施例では、動画記録モードにおいて記録される動画データと音声データは、ＭＰ４ファイル形式の動画ファイルとして記録される。ＭＰ４ファイルでは、動画や音声データに加えて、この動画や音声データを再生するために必要な管理情報が一つのファイルに格納される。
【００２７】
また、記録媒体１５１は、撮像装置に内蔵された記録媒体でも、取り外し可能な記録媒体でもよい。例えば、記録媒体１５１は、ハードディスク、光ディスク、光磁気ディスク、ＣＤ−Ｒ、ＤＶＤ−Ｒ、磁気テープ、不揮発性の半導体メモリ、フラッシュメモリ、などのあらゆる方式の記録媒体を含む。取り外し可能な記録媒体を用いる場合には、記録再生部１５０は、それらの取り外し可能な記録媒体を装着、排出するための機構を含む。
【００２８】
また、通信部１６０は、撮像装置１００とは異なる外部装置との間で、制御信号や動画ファイル、静止画ファイル、各種データ等を送受信する。通信部１６０の通信方式は、有線、無線を問わず、どのような形式であってもよい。
【００２９】
ここで、前述の画像処理部１１１、音声処理部１２１、符号化処理部１３０、表示し制御部１４１、記録再生部１５０は、それぞれ、前述の各機能を実行するプログラムを搭載したマイクロコンピュータであってもよい。また、ＣＰＵ１０１がこれらの機能の少なくとも一部を実行するようにしてもよい。
【００３０】
＜基本動作＞
次に、本実施例の撮像装置１００の動作について図２を用いて説明する。
【００３１】
本実施例の撮像装置１００において、ＣＰＵ１０１は、ユーザによって操作部１０４が操作され電源を投入する指示が操作部１０４から入力されると、不図示の電源供給部を撮像装置１００の各ブロックに電源を供給するように制御する。
【００３２】
次に、ＣＰＵ１０１は、操作部１０４により設定されたカメラのモードが、再生モードであるか、静止画記録モード、動画記録モードであるかを判定する（Ｓ２０１）。動画モードが設定されない場合はその他のモード処理に遷移する（Ｓ２０２）。
【００３３】
操作部１０４により設定されたモードが、動画記録モードである場合、ＣＰＵ１０１は、撮像装置１００の各ブロックを制御し、以下の動作を実行させる。
【００３４】
まず、撮像部１１０は、得られたデジタル画像信号をＲＡＭ１０２に送信し、一時的に記憶させる。次に、画像処理部１１１は、設定された撮影設定に従って、ＲＡＭ１０２に記憶されたデジタル画像信号に、前述の各種画質調整処理を行い、処理をしたデジタル画像信号を再びＲＡＭ１０２に記憶する。また、表示制御部１４１は、ＲＡＭ１０２に記憶された処理済みのデジタル画像信号または未処理のデジタル画像信号を読み出して表示部１４０に表示させる。
【００３５】
すなわち、操作部１０４から動画記録開始の指示が入力（Ｓ２０３）されるまでは、表示部１４０に撮像部１１０により撮像された画像に基づく画像が表示される。
【００３６】
次に、このような記録待機状態において、操作部１０４から動画記録開始の指示が入力されると、通信部１６０は周辺画像処理端末との通信処理を行う（Ｓ２０４）。
【００３７】
ここで、通信処理について説明する。
【００３８】
動画記録開始の指示が入力されると、図３で示すように、動画撮影を行っているカメラ３１０と所定の通信網３００内に存在する通信可能な周辺の画像処理端末３２０と通信をスタートする。通信は無線電話網、ＷＬＡＮ、または他の無線ネットワークを介してデータを送受信可能な周辺の画像処理端末とデータ通信する。また、事前に画像処理端末同士でペアリングを行い、ペアリングした機器同士のみにデータの送受信を制限してもよい。ここでは画像処理端末３２０はデジタルカメラ、デジタルビデオカメラに限定されるものではなく、データ通信可能で撮影機能を有しているスマートフォンなどの端末でもよい。通信する情報として周辺の画像処理端末のレリーズ情報をリアルタイムで取得する。ここでレリーズ情報を取得する理由は、同会場におけるイベントにおいて静止画撮影した頻度が高い場合がハイライトシーンであると考えられるからである。例えば運動会やサッカー大会などのイベントにおいては、ゴールシーン付近が特に盛り上がり、シャッターを切る頻度が多く、その前後のシーンがハイライトシーンとして適切であるためである。
【００３９】
続いて撮像部１１０は、得られたデジタル画像信号をＲＡＭ１０２に送信し（Ｓ２０５）、一時的に記憶させる。次に、画像処理部１１１は、設定された撮影設定に従って、ＲＡＭ１０２に記憶されたデジタル画像信号に、前述の各種画質調整処理（Ｓ２０６）を行い、処理をしたデジタル画像信号を再びＲＡＭ１０２に記憶する。また、表示制御部１４１は、ＲＡＭ１０２に記憶された処理済みのデジタル画像信号または未処理のデジタル画像信号を読み出して表示部１４０に表示させる。
【００４０】
さらに、符号化処理部１３０は、画像処理部１１１によって処理されたデジタル画像信号を符号化するための符号化処理を行う（Ｓ２０７）。
【００４１】
また、音声処理部１２１は、マイクユニットから入力されたデジタル音声信号に対して種々の調整処理を適用し、処理をしたデジタル音声信号を再びＲＡＭ１０２に記憶する（Ｓ２０８）。
【００４２】
さらに、必要に応じて、予め設定された音声用の符号化方式に従って符号化処理を実行し、得られた音声データをＲＡＭ１０２に記憶させる。なお、以後の説明では、音声データについては説明を省略するが、動画データとともに処理されるものとする。
【００４３】
次に、記録再生部１５０は、ＲＡＭ１０２に一時記憶されている符号化済みの動画データを、記録媒体１５１のファイルシステムに適合する動画ファイルとして記録する（Ｓ２０９）。また、ＣＰＵ１０１により生成された必要な管理情報を動画ファイルに含めて記録する。
【００４４】
ＣＰＵ１０１は、動画記録終了の指示が入力（Ｓ２１０）されるまでは、これら一連の処理を撮像装置１００の各ブロックに実行させる。
【００４５】
次に操作部１０４から動画記録終了の指示が入力されると、符号化処理部１３０は、記録終了の指示が入力されるまでのデジタル画像信号を符号化し終わるまで動作し、その後動作を終了する。
【００４６】
また、記録再生部１５０も、ＲＡＭ１０２に一時記憶されている符号化済みの動画データを記録媒体１５１記録し終わるまで動作し、その後、動作を終了する。また、通信部１６０も、周辺画像端末との通信を終了する。それ以外の撮像部１１０、画像処理部１１１、表示部１４０、表示制御部１４１、は動作を継続する。
【００４７】
その後ＲＡＭ１０２に記憶されている周辺画像処理端末のレリーズ情報をもとにハイライト抽出処理を行う（Ｓ２１１）。
【００４８】
ここでハイライトシーンの抽出について図４を用いて説明する。
【００４９】
Ｓ２０４の周辺画像処理端末と通信処理されたレリーズ情報を蓄積していき、時間軸方向のヒストグラムを作成する。図４（ａ）のヒストグラムに対してＲ＿Ｔｈ１以上の区間をハイライトシーンとして抽出する。この閾値Ｒ＿Ｔｈ１は通信された周辺画像処理端末数に応じて可変にする。つまり、通信された端末数が多いときは閾値を上げ、少ないときは閾値を下げることによって、画像処理端末数に応じた制御をすることが可能になる。図４（ａ）の例では、撮影動画記録区間に対してハイライトシーン１（Ｈ１＿Ｓ〜Ｈ１＿Ｅ）、ハイライトシーン２（Ｈ２＿Ｓ〜Ｈ２＿Ｅ）、ハイライトシーン３（Ｈ３＿Ｓ〜Ｈ３＿Ｅ）を抽出することとする。上記ハイライト区間情報を動画データに対して付与する。
【００５０】
上記の例ではレリーズ情報のヒストグラムを生成し、閾値を超えた領域をハイライトシーンと判断したが、単位時間あたりのレリーズ数に応じてハイライトシーンを抽出してもよい。図４（ｂ）の例では、レリーズ数の閾値Ｒ＿Ｔｈ２を超えたＳ４区間とＳ７区間がハイライトシーンと判断される。
【００５１】
以上のように、本実施例の撮像装置１００は、動画記録モードにおいて動画ファイルを記録媒体１５１に記録する。
【００５２】
上記のように記録された動画データに対してハイライト情報を付加することで、撮影後のダイジェスト再生や、編集する場合を簡略化することができる。
【００５３】
（第２の実施形態）
第１の実施形態では、動画記録時にリアルタイムで周辺画像処理端末のレリーズ情報を受信し、その情報を基にハイライトシーンを検出し、動画データに付与していた。第２の実施形態では、画像サーバーにアクセスして、サーバー経由でハイライト情報を付加する点が第１の実施例と異なる。
【００５４】
第２の実施形態について図５のフローチャートを用いて説明する。
【００５５】
一連の動画像データを撮影後、ネットワークを経由して画像サーバーに接続する（Ｓ５０１）。ここで使用するネットワークは無線電話網、ＷＬＡＮ、または他の無線ネットワークや、自宅のＰＣを介してネットワーク接続してもよい。
【００５６】
次に時刻情報、位置情報を基にハイライト検出に用いる静止画データを抽出する（Ｓ５０２）。ここでは、画像サーバー内の静止画データに対して、撮影動画データと位置情報、時刻情報が合致する静止画データを抽出する。つまり同イベント、同時刻で撮影された画像データ群を抽出する。ここで抽出された静止画データ数が第１の実施例のレリーズ数に相当する。
【００５７】
次に図４に示す第１の実施形態と同様な手法でハイライト部分を検出し（Ｓ５０３）、検出したハイライト部を動画像データに付与（Ｓ５０４）することで、第１の実施例と同じ効果が得られる。
【００５８】
（他の実施形態）
上述の実施形態は、システム或いは装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００５９】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体または有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００６０】
有線／無線通信を用いたコンピュータプログラムの供給方法としては、コンピュータネットワーク上のサーバーを利用する方法がある。この場合、本発明を形成するコンピュータプログラムとなりうるデータファイル（プログラムファイル）をサーバーに記憶しておく。プログラムファイルとしては、実行形式のものであっても、ソースコードであってもよい。そして、このサーバーにアクセスしたクライアントコンピュータに、プログラムファイルをダウンロードすることによって供給する。この場合、プログラムファイルを複数のセグメントファイルに分割し、セグメントファイルを異なるサーバーに分散して配置することも可能である。つまり、上述の実施形態を実現するためのプログラムファイルをクライアントコンピュータに提供するサーバー装置も本発明の一つである。
【００６１】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【符号の説明】
【００６２】
１００  撮像装置、１０１  ＣＰＵ、１０２  ＲＡＭ、１０３  、ＲＯＭ、
１０４  操作部、１１０  撮像部、１１１  画像処理部、１２０  マイクユニット、
１２１  音声処理部、１２２  スピーカユニット
【図１】
2019075638.tif 000003
【図２】
2019075638.tif 000004
【図３】
2019075638.tif 000005
【図４】
2019075638.tif 000006
【図５】
2019075638.tif 000007